(57)【特許請求の範囲】
【請求項１】
浚渫土砂に、セメント系固化剤と発泡ビーズとを混合した軽量プレミックス土を水中の斜面に打設するに際し、混合する発泡ビーズの量により軽量プレミックス土の重量を変えて斜面勾配を制御する軽量プレミックス土の水中盛土工法。
【請求項２】
浚渫土砂に、セメント系固化剤と発泡ビーズとを混合した軽量プレミックス土を水中の斜面に打設するに際し、混合する発泡ビーズの量により軽量プレミックス土の重量を変えて斜面勾配を制御し、軽量プレミックス土の水中盛土の表層から水中で分離浮上した発泡ビーズを、水面上で回収し、これを再利用する軽量プレミックス土の水中盛土工法。
【発明の詳細な説明】
【０００１】
【発明の属する技術分野】
本発明は、土砂にセメント系固化剤と発泡ビーズとを混合した軽量プレミックス土を利用した水中盛土工法に関する。
【０００２】
【従来の技術】
従来、投棄処分や埋立処分されてきた浚渫シルト・粘性土にセメント系固化剤を混合してプレミックス土とすることによって、良好な埋立材料や構造材料とすることが行われてきている。
しかしながら、上記プレミックス土を構造材料として築堤工事や止水工事として使用する場合、セメント系固化剤の硬化反応前は流動状態にあり、例えば１：２の斜面勾配の築堤盛土を行おうとしても、浚渫土の含水比及び土質性状次第では、盛土を高くすれば斜面に沿って流れ出すことが多く、結局はプレミックス土の水中重量とその粘性、粘着力により自然に落ち着く形状しか得られないという欠点があった。
一方、プレミックス土の流動性を制御すべき混和剤、例えば増粘剤の使用があるが、これらは価格的に高価であり、実用的でなかった。
【０００３】
【発明が解決しようとする課題】
本発明は、浚渫土砂にセメントを混合したプレミックス土の中に、発泡ビーズを併せて混合することにより、水中重量の軽い軽量プレミックス土とし、これを水中の捨石マウンドの止水、裏込部材の止水および潜堤等に適用する軽量プレミックス土の水中盛土工法を提供することをその解決課題としている。
【０００４】
【課題を解決するための手段】
本発明は、浚渫土砂に、セメント系固化剤と発泡ビーズとを混合した軽量プレミックス土を水中の斜面に打設するに際し、混合する発泡ビーズの量により軽量プレミックス土の重量を変えて斜面勾配を制御する軽量プレミックス土の水中盛土工法からなり、さらにその工法において、軽量プレミックス土の水中盛土の表層から水中で分離浮上した発泡ビーズを、水面上で回収し、これを再利用することを特徴とする。
【０００５】
【発明の実施の形態】
以下図面を参照して本発明の工法の一実施形態について説明するが、図１は本発明の工法に適用される装置の概略平面図であり、図２は図１の装置及びその装置により、一例として捨石マウンドの護岸内側の止水工を行っている状況を示す側面図である。
【０００６】
まず、グラブ船などで浚渫された浚渫土砂１５は、土運船１で軽量プレミックス船２に運ばれ、バックホウ３など適宜な手段でホッパー４に揚土される。ホッパー４の中の浚渫土砂１５は混練機５に送られ、ここでセメント系固化剤及び発泡ビーズが混練される。
即ち、セメント系固化剤プラント６から、セメント系固化剤が、そして発泡ビーズサイロ７から丸粒状の発泡スチロール等の発泡ビーズが混練機５に送られ浚渫土砂１５と混合される。
【０００７】
なお、ここで使用されるセメント系固化剤としては、粉体のセメントでも、またはセメントミルクでも良く、またその混練は良質な軽量プレミックス土１１を作るため、セメント系固化剤と浚渫土砂とを先に攪拌混合し、後工程で発泡ビーズを混合するなど、その工事の目的や、浚渫土砂１５の性状などにより適宜変えることができる。
【０００８】
次に、混練後の軽量プレミックス土１１は、圧送シリンダ８により必要な送泥圧が加えられ、圧送管９で送泥され、そして先端の打設トレミー管１０を通して水中の所要位置に打設される。
図２は捨石マウンド１２上に据付けられたケーソン１３による護岸の内側に止水工を行っている状況図であり、捨石マウンド１２上に逐次軽量プレミックス土１１を被覆し、捨石マウンド１２の斜面勾配：２と平行に、同じく１：２の勾配にて一様の厚さの止水工を行うことができる。
【０００９】
ここで、軽量プレミックス土１１の重量は、混合する発泡ビーズの量により自由に変えることができ、その結果、斜面勾配を自由に制御することができる。
前記の本実施形態における軽量プレミックス土１１と従来行われている通常のプレミックス土の単位滞積重量及び強度などは下記の表の通りである。
【００１０】
【表１】
0003582910.tif 000002
【００１１】
上記の表に示すごとく、特に水中打設において、その単位体積重量は０．３８ｔｏｎ  ／ｍ３  から０．０５ｔｏｎ  ／ｍ３  へと１３％に軽減されている。
なお、圧縮強度は、発泡ビーズの混合により軽量プレミックス土１１の場合は低下する傾向にあるが、強度低下はセメント添加量を若干増すことで回復できることは自明である。
【００１２】
また、軽量材としては発泡ビーズにとらわれることなく、軽水砕、あるいは気泡を軽量材として使用して軽量プレミックス土として本発明に適用することもできる。
一方、本発明のごとく、発泡ビーズを軽量プレミックス土に混合して水中に打設した場合には、打設時及び打設後に軽量プレミックス土１１の表層から発泡ビーズが水中で分離浮上するので、その打設区域の水面上をオイルフェンスなどで囲み、水中ポンプ等で吸引して船上に回収すれば、産業用廃棄物に対する処理も行うことができる。さらに回収した発泡ビーズを軽量プレミックス土１１に混ぜる発泡ビーズとして再利用すれば処分する廃棄物が少なくでき経済的である。
【００１３】
なお、浚渫土砂を使用するのは、投棄処分や埋立処分されていたものを有効利用するためであるが、使用する土砂は浚渫土に限定されず、コストさえ問題なければ購入した土砂でも本発明の実施は可能である。
次に本発明の他の実施形態としては、図３に示すように前述の捨石マウンド１２上のケーソン１３の裏込部材１４の法面に沿って前述の実施形態と同様に本発明の軽量プレミックス土１１を打設することにより同じ効果を得ることができる。
【００１４】
また他の実施形態としては図４に示すごとく裏込部材１４全体を前記と同様に、浚渫土砂にセメント系固化材と発泡ビーズとを混合した軽量プレミックス土により構成した場合は、前述の実施形態と同じく急傾斜の裏込部材１４を構築することができるのである。
さらに、かゝる実施形態、即ち上記のごとき発泡ビーズを混合した軽量プレミックス土により潜堤を構築することにより同様の効果を得ることができる。
【００１５】
【発明の効果】
以上説明した本発明の軽量プレミックス土の水中盛土工法によれば、浚渫土砂を軽量でかつ良好な埋立材料や構造材料として有効に利用できる。
即ち、本発明の軽量プレミックス土は、浚渫土砂にセメント系固化材と発泡ビーズとを混合したものであるから、重量軽減効果が有り、その結果捨石マウンドや裏込部材（石）の法面に沿ってこれを打設することによりその法面の斜面を急勾配としてもそれが流下することがなく、所望の法面勾配を作り、維持することができる。
またかゝる軽量プレミックス土をもって裏込部材や潜堤そのものを構成させることによって、同様に裏込部材や潜堤を急勾配に作ることができると共に、その勾配を容易に維持でき、所望の勾配を容易に得ることができる。
【００１６】
また、本発明で使用される発泡ビーズは、従来のプレミックス土に使用されている増粘材に比べて極めて安価であるので経済的であり、また水中に打設後分離する発泡ビーズは、その浮力により浮上するので、水面で容易に回収することができ、しかもそれを再度使用することによりさらに材料コストと廃棄物処理費用の低減をはかることが可能である。
【図面の簡単な説明】
【図１】本発明の工法に適用される装置の実施形態に係る概略平面図である。
【図２】図１の装置及びその装置により護岸内側の止水工を行っている状況を示す側面図である。
【図３】本発明の工法を裏込部材の表面に適用した側面図である。
【図４】本発明の工法を裏込部材そのものに適用した側面図である。
【符号の説明】
１１      軽量プレミックス土        １２      捨石マウンド
１３      ケーソン                  １４      裏込部材（石）
１５      浚渫土砂
【図１】
0003582910.tif 000003
【図２】
0003582910.tif 000004
【図３】
0003582910.tif 000005
【図４】
0003582910.tif 000006